(57)【特許請求の範囲】
【請求項１】
水平面に対する投影形状が４隅を丸めた菱形の柱状体で、上下面の少なくとも一方に抜け止めの薄い突部を形成したラッチブロックと、一面が開口した箱状体で、錠箱のフロント板の開口の裏面側にその開口を接合させた状態で錠箱内に収納され、その開口の上下方向の寸法をラッチブロックの高さよりやや大きく、幅方向の寸法を、相互に対向するラッチブロックの一対の平面の間隔よりやや大きく設定し、上記ラッチブロックを摺動かつ反転可能に収納した案内枠と、案内枠内に弾装され、ラッチブロックをフロント板から突出する方向の前方に付勢すると共に、ラッチブロックのストライクとの衝接面が案内枠の側壁内面に接合する常態角度位置方向に復元力を呈するばねと、ラッチブロックの上下面の少なくとも一方の後端に突設された係合片と、錠箱内において、扉の外部操作部材により連係部材を介して前後に変位できるように配設された摺動部材と、この前記摺動部材を前方に向け付勢する戻しばねと、摺動部材に一体的に形成され、ラッチブロックが常態角度位置にあり、前方に突出しているとき、その係合片を拘束する停止片とを有することを特徴とする錠の反転ラッチ機構。
【発明の詳細な説明】
【０００１】
【産業上の利用分野】
この発明は、門扉等に採用するに好適な錠の反転ラッチ機構の改良に関する。
【０００２】
【従来の技術】
従来のこの種の反転ラッチ機構としては、例えば、実公平３−６７７３号公報に記載されたものを挙げることができる。同公報に示されたラッチ錠は、ラッチヘッド（ラッチブロック）の反転を上下一対のロッキングピースで阻止又は許容できるようにしてあるので、施錠状態における安全性が高く、また、施解錠操作がスムーズであるなどの利点はあるものの、ラッチヘッドの溝に嵌め外しされる一対のロックピースを含む作動機構が極めて複雑で、ラッチ錠全体としての製作が面倒であるという欠点がある。
【０００３】
【発明が解決しようとする課題】
この発明の錠の反転ラッチ機構は、ラッチブロックの反転を阻止させ又はその反転を自由にさせるための作動機構を改変することにより、施解錠操作の円滑さを失うことなく、全体としての構造を簡潔にすると共に、製作を楽に行えるようにしたものである。
【０００４】
【課題を解決するための手段】
上記の目的を達成するため、この発明の錠の反転ラッチ機構は、水平面に対する投影形状が４隅を丸めた菱形の柱状体で、上下面の少なくとも一方に抜け止めの薄い突部を形成したラッチブロックと、一面が開口した箱状体で、錠箱のフロント板の開口の裏面側にその開口を接合させた状態で錠箱内に収納され、その開口の上下方向の寸法をラッチブロックの高さよりやや大きく、幅方向の寸法を、相互に対向するラッチブロックの一対の平面の間隔よりやや大きく設定し、上記ラッチブロックを摺動かつ反転可能に収納した案内枠と、案内枠内に弾装され、ラッチブロックをフロント板から突出する方向の前方に付勢すると共に、ラッチブロックのストライクとの衝接面が案内枠の側壁内面に接合する常態角度位置方向に復元力を呈するばねと、ラッチブロックの上下面の少なくとも一方の後端に突設された係合片と、錠箱内において、扉の外部操作部材により連係部材を介して前後に変位できるように配設された摺動部材と、この前記摺動部材を前方に向け付勢する戻しばねと、摺動部材に一体的に形成され、ラッチブロックが常態角度位置にあり、前方に突出しているとき、その係合片を拘束する停止片とを有することを特徴とする。
【０００５】
【作用】
図１及び図２に示す扉の閉止状態では、ラッチブロック３はばね４で付勢されて突出位置にあり、扉枠（図示しない）のストライク２に係入されている。
【０００６】
このとき、ハンドル等の外部操作部材から外力を加えられていない摺動部材５は、戻しばね８の付勢力によって前方に引き寄せられており、その摺動部材５に設けられた停止片５０がラッチブロック３の後端部の係合片３０を該ラッチブロック３と共に反転不能に拘束する。
【０００７】
従って、図２に明示するように、ラッチブロック３のストライクとの衝接面３１及びこの衝接面に対向する平面が案内枠１３の側壁内面に接合する常態角度位置に拘束されたラッチブロック３は、外部操作部材を操作しない限り、その突出した先端部がストライク２に対し係入されたままの状態に保持される。
【０００８】
扉が閉鎖された図２の常態で、外部操作部材を例えば回動操作すると、連係部材７を介して摺動部材５が後方に変位するので、摺動部材５の停止片５０によるラッチブロック３の係合片３０に対する拘束が解除される（図５参照）。
【０００９】
ここで、図５〜図８に示すように、扉を外部操作部材等で矢印Ａの方向に押し又は引くと、ラッチブロック３はその先端部の一方の斜面３１がストライク２で押されることにより、中心軸線（ラッチブロック中央部の縦の軸線）の回りを回転しつつ錠箱１内に押し込まれ、もって反転する。
【００１０】
すなわち、ラッチブロック３は、上記衝接面３１が斜面となる反転角度位置に向け回転されることになる（図７参照）。
【００１１】
そして、図８の状態から扉が更に押し引きされると、ラッチブロック３の先端がストライク２から離れるので、ラッチブロック３はばね４の弾力により逆方向に（図８で時計方向に）反転しつつ再び突出する（図９参照）。
【００１２】
図９の状態は、扉が開放された状態を示すが、ここで、外部操作部材から手を放すと、停止片５０は戻りばね８の付勢により摺動片５と共に距離ｄだけ変位し、常態と同様な前方位置に復帰する。
【００１３】
次に、扉を開放状態（図９参照）から閉鎖させるには、図１０及び図１１に示すように、扉を矢印Ｂの方向に押し又は引き戻せばよく、ラッチブロック３は、その先端部の他方の斜面３２がストライク２で押されることにより、ばね４の付勢力に抗して、一旦錠箱１内に押し込まれた後、ばね４の付勢力により再び突出し、当初の閉鎖状態に戻る（図２参照）。
【００１４】
このとき、ラッチブロック３は図１０及び図１１で時計方向に回転モーメントを受け、案内枠１３の側面に案内される。
【００１５】
なお、扉を閉鎖させるに際してラッチブロック３を作動させるには、停止片５０並びに摺動部材５は前方位置に位置させたままでもよく、換言すれば、外部操作部材を回転又は揺動操作しなくても済む。
【００１６】
つまり、扉の閉鎖に際し、停止片５０が前方位置又は後方位置のいずれの位置にあっても、ラッチブロック３の作動に支障を来たすことはない。
【００１７】
【実施例】
以下、図面に示す実施例に基いてこの発明について説明する。
図１〜図４において、符号１は図示しない扉に固定される錠箱、１１は錠箱１のフロント板、１２はフロント板１１の開口、１３は後記のラッチブロック３を案内させるため錠箱１内に設けた箱状の案内枠、２は図示しない扉枠に固定されるストライク、２１はストライク２の係入孔をそれぞれ示す。
【００１８】
水平面に対する投影形状が４隅を丸めた菱形の柱状体であるラッチブロック３は、錠箱１に固設した一面が開口した箱状の案内枠１３内に摺動可能かつ反転可能に装着してあり、その前半部はフロント板１１の開口１２を通じ錠箱１における案内枠１３に対し出没できるようにしてある。
【００１９】
符号３１はラッチブロック３の前半部における一方の斜面、換言すればストライクと衝接する衝接面、３２は同じく他方の斜面をそれぞれ示している。
【００２０】
そして、ラッチブロック３は、錠箱１の案内枠１３内に設けた少くも１つの圧縮ばねその他任意のばね４により、前方に向け摺動させるように付勢されると共に、一方向に向け回転（反転）して復元させるように付勢させてある。
【００２１】
図示例のばね４は、単一の圧縮ばねであって、その前端をラッチブロック３の後半部にほぼ水平に設けた逃げ孔を兼ねる装着孔３３で受け、後端を案内枠１３の底板で受けるようにして、ラッチブロック３と案内枠１３との間に装着してある。符号１４は、案内枠１３の底板上に設けたばねの止め片である。
【００２２】
前記の装着孔３３におけるばね４の受け面３４は、図２に明示するようにラッチブロック３の常態の突出状態で、フロント板１２とほぼ平行をなすように形成してあり、装着孔３３における幅方向の一側壁（図２で下方の壁部）は切除してある。
【００２３】
前記のような装着孔３３の構成は、一つには、単一のばね４によってラッチブロック３に対し前方への付勢力と回転における一方側に向ける付勢力（図２で時計方向に向ける付勢力）とを付与させるために必要である。
【００２４】
即ち、装着孔の受け面３４が図６或いは図７に示すように傾いたとき、これらの図において下方に於けるばねの部分が上方の部分より余計に圧縮される。
【００２５】
その為、ばね４の下方の部分に於ける弾力が上方の部分のそれよりも大きくなり、その弾力の差により、ラッチブロック３に時計方向の復元モーメントが生じる。
【００２６】
また、上記装着孔３３の他の一つの存在意義は、ラッチブロック３の反転の際に該ばね４を逃がす為にある。
【００２７】
ただし、このばね４は、図示例のもののように単一のものに限るものではなく、複数設けてもよく、そのばねの種別も任意に選択し得る。
【００２８】
更に、ラッチブロック３の後端部における上下両面には上下で対をなす係合片３０、３０を一体に又は別体のものとして突設する。係合片３０は後記の停止片５０との係脱において円滑に作動するように円柱状とするとよい。
【００２９】
前記のようなラッチブロック３の前方への摺動の制限は、該ラッチブロック３の後半部における上下面にそれぞれ一体に突出させて形成した低い三角柱状の突部３５をフロント板１１の裏面に当接させることにより行うとよい。
【００３０】
図１、図３及び図４において、符号５、５は錠箱１内に設けられ、扉の外部操作部材（図示しない）により連係部材７、７を介して前後に摺動可能に作動される一対の摺動部材を示す。
【００３１】
各摺動部材５は例えば金属板を折り曲げて作られ、図示の実施例では、その全体の形状は略Ｌ字形となっている。図示例において、符号５１は摺動部材５の前方部を形成する横片、５２は同じくその後方部を形成する縦片である。
【００３２】
上下一対の摺動部材５、５には、その前方部において横片５１を下方又は上方に更に折り曲げて形成した停止片５０、５０をそれぞれ有する。
【００３３】
各摺動部材５は、その横片５１と錠箱１との間に設けられた任意の形式の案内手段６により、所要の範囲を前後に摺動案内される。図示例の案内手段６は横片５１に設けられた長孔と錠箱１に固定されたピンとを組み合せて構成されているが、この案内手段の形式や数は任意である。
【００３４】
また、各摺動部材５と錠箱１内の案内枠１３等に設けた固定の取付片１５との間には、引っ張りばねその他任意の戻しばね８が設けてあって、その戻しばね８によって摺動部材５は前方に向け付勢させてある。
【００３５】
そして、前記の摺動部材５上の停止片５０は、図１及び図２に示すように、扉が閉鎖された常態で、すなわち、ハンドル等の外部操作部材に手が触れられていない時、突出位置にあるラッチブロック３の係合片３０を、該ラッチブロック３の反転の一方側（第１角度位置）に選択的に拘束する。
【００３６】
すなわち、図２の状態では、扉を矢印Ａ方向に押し又は引いたとしても、ラッチブロック３と共に回転しようとする係合片３０に対し、停止片５０が衝接する位置を占めているので、ラッチブロック３は反転が不能であってストライク２に対し係止状態が保持される。
【００３７】
なお、図示例においては、係合片３０、摺動部材５、停止片５０及び戻しばね８は、作動を円滑にするためにいずれも対をなして設けてあるが、これら各部材は、必ずしも複数設ける必要はなく、それぞれ１個備えてあればよい。
【００３８】
【発明の効果】
以上に説明したこの発明の錠の反転ラッチ機構によれば、ラッチブロックの係合片を選択的に拘束させるための作動機構の主要部である、停止片を有する摺動部材を前後に直線的に変位させれば、ラッチブロックの反転の拘束並びにその拘束の解除を行えるようにしたので、全体としての構造が著しく簡単で、製作を極めて容易に行える上、施解錠操作も極めて円滑に行えるなどの効果を奏する。
【００３９】
殊に、作動機構において枢着部分を著しく減少させたことは、部品の製造や組立についてコストダウンを図るに極めて有利である。
【図案の簡単な説明】
【図１】この発明の錠の反転ラッチ機構の実施例を示す縦断側面図。
【図２】図１のＩＩ−ＩＩによるその縦断部分平面図。
【図３】その縦断側面図。
【図４】図１の反転ラッチ機構における一対の摺動部材の配置関係を示す部分背面図。
【図５】扉の開放過程におけるラッチブロックの変位状態における第１段階を示す説明図。但し、本図並びに以下の図（図６〜図１１）においてラッチブロックに付設したばねは、いずれの図においても簡素化するためその記載を省略した。
【図６】その第２段階を示す説明図。
【図７】その第３段階を示す説明図。
【図８】その第４段階を示す説明図。
【図９】その第５段階を示す説明図。
【図１０】扉の閉鎖過程におけるラッチブロックの変位状態における第１段階を示す説明図。
【図１１】その第２段階を示す説明図。
【符号の説明】
１  錠箱
１１  フロント板
１２  開口
１３  案内枠
２  ストライク
３  ラッチブロック
３０  係合片
４  ばね
５  摺動部材
５０  停止片
７  連係部材
８  戻しばね
【図１】
0003593158.tif 000002
【図２】
0003593158.tif 000003
【図３】
0003593158.tif 000004
【図４】
0003593158.tif 000005
【図５】
0003593158.tif 000006
【図６】
0003593158.tif 000007
【図７】
0003593158.tif 000008
【図８】
0003593158.tif 000009
【図９】
0003593158.tif 000010
【図１０】
0003593158.tif 000011
【図１１】
0003593158.tif 000012